(57)【特許請求の範囲】
【請求項１】
プレート（１２）と、
該プレート（１２）に取り付けられたフェーシング（１４）とを備え、
該フェーシング（１４）が円形の外側溝（２０）と、該外側溝から隔置された略円形の内側溝（２２）とを画定し、前記フェーシング（１４）が前記外側溝（２０）と内側溝（２２）との間に波形溝（２４）を画定し、前記波形溝が複数の弯曲部分（２６）を有し、前記外側溝（２０）、内側溝（２２）、波形溝（２４）、前記フェーシングの半径方向内側及び前記フェーシングの半径方向外側が前記フェーシング（１４）により画定された複数の流れ溝により相互接続されており、前記複数の流れ溝が、前記内側溝及び前記半径方向内側に連通した複数の流入溝（２８）と、前記外側溝（２０）、内側溝（２２）及び波形溝（２４）に連通した複数の相互接続する半径方向溝（３０）と、前記外側溝（２０）及び前記半径方向外側に連通した複数の流出溝（３２）とを含んでおり、前記内側溝（２２）をフェーシングの半径方向内側に連通している前記流入溝（２８）は、前記内側溝を前記波形溝（２４）と連通している相互接する半径方向溝（３０）から周方向に変位しており、かつ前記外側溝（２０）をフェーシングの半径方向外側に連通している流出溝（３２）は、前記外側溝（２５）を前記波形溝（２４）と連通している相互接続する半径方向溝（３０）から周方向に変位しているプレート及びフェーシング組立体（１０）。
【請求項２】
前記フェーシング（１４）が環状の摩擦フェーシングである請求項１に記載の組立体。
【請求項３】
前記外側溝（２０）及び内側溝（２２）が同心状となっている請求項１に記載の組立体。
【請求項４】
前記外側溝（２０）、内側溝（２２）及び波形溝（２４）の各々が所定の幅（Ｘ）及び所定の深さ（Ｙ）を有し、該所定の幅（Ｘ）は１．２７０ｍｍ（０．０５０インチ）から１．７７８ｍｍ（０．０７０インチ）までの範囲にあり、該所定の深さＹは０．３８１ｍｍ（０．０１５インチ）から０．５０８ｍｍ（０．０２０インチ）の範囲にある請求項１に記載の組立体。
【発明の詳細な説明】
【０００１】
【発明の属する技術分野】
本発明は、概ねプレート及びフェーシング組立体に関する。本発明は、より詳細には、摩擦材料フェーシングが複数の流体流れ溝を画定するクラッチ板及び摩擦材料フェーシング組立体に関する。
【０００２】
【従来の技術】
プレート及びフェーシング組立体は、本技術分野においては公知のものである。斯かるタイプの組立体は通常隔置された同心円状の溝が画定されたフェーシングを含んでいる。斯かる溝は、例えば、自動変速機用流体（ＡＴＦ）が流れるチャネルとなる。斯かる従来の技術の組立体は摩耗が早く、且つ、しばしば使用中にシャダすなわち振動を発生することがある。
【０００３】
【解決しようとする課題】
耐久性及び耐シャダ性すなわち耐振性のあるプレート及びフェーシング組立体が必要とされており、本発明は、斯かる要求をみたすものである。
【０００４】
本発明の第１の目的は、耐久性のあるプレート及びフェーシング組立体を提供することである。
【０００５】
本発明の重要な目的は、耐シャダ性のあるプレート及びフェーシング組立体を提供することである。
【０００６】
【課題を解決するための手段】
本発明によるプレート及びフェーシング組立体は、プレートと、該プレートに取り付けられたフェーシングとを備え、該フェーシングが円形の外側溝と、該外側溝から隔置された略円形の内側溝とを画定し、前記フェーシングが前記外側溝と内側溝との間に波形溝を画定し、前記波形溝が複数の弯曲部分を有し、前記外側溝、内側溝、波形溝、前記フェーシングの半径方向内側及び前記フェーシングの半径方向外側が前記フェーシングにより画定された複数の流れ溝により相互接続されており、前記複数の流れ溝が、前記内側溝及び前記半径方向内側に連通した複数の流入溝と、前記外側溝、内側溝及び波形溝に連通した複数の相互接続する半径方向溝と、前記外側溝及び前記半径方向外側に連通した複数の流出溝とを含んでおり、前記内側溝をフェーシングの半径方向内側に連通している前記流入溝は、前記内側溝を前記波形溝と連通している相互接続する半径方向溝から周方向に変位しており、かつ前記外側溝をフェーシングの半径方向外側に連通している流出溝は、前記外側溝を前記波形溝と連通している相互接続する半径方向溝から周方向に変位して構成されている。
【０００７】
上記構成において、前記フェーシングが環状の摩擦フェーシングであってもよく、前記外側溝及び内側溝が同心状となっていてもよい。また、前記複数の流れ溝が前記内側溝及びフェーシングの半径方向内側に連通した複数の流入溝と、前記外側溝、内側溝及び波形溝に連通した複数の相互接続する半径方向溝と、前記外側溝及びフェーシングの半径方向外側に連通した複数の流出溝とを含んでいてもよい。更に、前記外側溝、内側溝及び波形溝の各々が所定の幅及び所定の深さを有していてもよい。
【０００８】
本願の他の発明によるプレート及びフェーシング組立体は、プレートと、該プレートに取り付けられたフェーシングとを備え、該フェーシングが複数の隔置された波形溝を画定しており、該波形溝の各々が流入溝と、流出溝とを含んで構成されている。
【０００９】
上記構成において、前記フェーシングが環状摩擦フェーシングであってもよく、前記波形溝の各々が所定の幅と、所定の深さとを有していてもよい。
【００１０】
本発明は、プレートと、フェーシングとを含んだプレート及びフェーシング組立体に関する。フェーシングはプレート上に取り付けられている。フェーシングは略円形の外側溝と、該外側溝から隔置された略円形の内側溝とを画定している。フェーシングは外側溝と内側溝との間に波形溝を画定している。斯かる外側溝、内側溝及び波形溝は複数の流れ溝により内部で接続されている。別の実施例では、フェーシングが複数の隔置された波形溝を画定している。該波形溝の各々は流入溝及び流出溝を含んでいる。
【００１１】
本発明によるプレート及びフェーシング組立体は耐久性に優れており、また耐シャダ性に優れている。
【００１２】
本発明のその他の目的及び利点は、好適な実施例及び添付の図面を参照すれば当業者には明白となる。
【００１３】
【発明の実施の形態】
図面を参照して本発明の好適な実施例及び最良の形態を詳細に説明する。添付の図面では、本発明のプレート及びフェーシング組立体は全体を符号「１０」で表されている。該プレート及びフェーシング組立体１０はプレート１２と、フェーシング１４とを含んでいる。
【００１４】
図１及び図２において、プレート１２は環状または円形の金属製のコアプレートであり、該コアプレートは少なくとも１つの円周方向の取付面１６を有している。プレート１２は様々な目的に使用することができる。例えば、このプレート１２を電子制御コンバータクラッチ（ＥＣＣＣ）として使用することが可能である。プレート１２は、また、トルクコンバータ、流体継手及び湿式始動クラッチ等の無段変速機（ＣＶＴ）の始動装置に使用される如き「単面」または「多面」滑りクラッチとしても使用することができる。図１に図示した様に、プレート１２は中心１８を含んでいる。
【００１５】
図１乃至図４において、フェーシング１４は少なくとも１つのほぼ環状のまたは円形の摩擦材料フェーシングであり、プレート１２の取り付け面１６に取り付けられる。フェーシング１４は繊維材料から形成されている。繊維は、例えば、靭性のあるアラミド繊維であり、非常に耐久性が高い。フェーシング１４は、用途によりセグメントに分割することが可能であり、或いは、連続させることも可能である。フェーシング１４は従来の方法でプレート１２に取り付けられて固定される。
【００１６】
図１、図３、図４、図６及び図７において、フェーシング１４は略円形の外側溝２０と、該外側溝から隔置された略円形の内側溝２２とを画定している。図１に図示した様に、円形の外側溝２０及び内側溝２２はそれぞれの中心と同心であり、該中心はプレート１２の中心１８と一致している。
【００１７】
引き続き図１、図３、図４、図６及び図７において、フェーシング１４は前記外側溝２０と内側溝２２との間に波形溝２４を画定している。該波形溝２４は符号「２６」で全体を示した複数の弯曲部分２６から構成されている。本実施例では、３２個の弯曲部分２６が設けられている。図１に図示した様に、弯曲部分２６は波を打つようにして波形パターンを形成している。
【００１８】
図１及び図３において、外側溝２０、内側溝２２及び波形溝２４は、複数の流入溝２８、複数の連続半径方向溝３０及び複数の流出溝３２等のフェーシング１４により画定される複数の流れ溝により相互に接続されている。流入溝２８は内側溝２２及びフェーシングの半径方向内側に連通している。相互に接続する半径方向溝３０は外側溝２０、内側溝２２及び波形溝２４に連通している。流出溝３２は外側溝２０及びフェーシングの半径方向外側に連通している。流入溝２８、連続半径方向溝３０及び流出溝３２の数、位置及び間隔はプレート及びフェーシング組立体１０の用途により様々に変更することが可能である。本実施例では、流入溝２８は２個、相互接続する連続半径方向溝３０は１０個及び流出溝３２は８個である。
【００１９】
図６及び図７において、外側溝２０、内側溝２２及び波形溝２４の各々は所定の幅Ｘ及び所定の深さＹを有している。好適な実施例では、該所定の幅Ｘの範囲は約１．２７０ｍｍ（約０．０５０インチ）から約１．７７８ｍｍ（約０．０７０インチ）までであり、前記所定の深さＹの範囲は約０．３８１ｍｍ（約０．０１５インチ）から約０．５０８ｍｍ（約０．０２０インチ）までである。所定の幅Ｘも及び所定の深さＹも双方ともプレート及びフェーシング組立体１０の用途により様々に変更することが可能である点に留意したい。所定の幅Ｘ及び所定の深さＹは、様々に変更されて流体流量や熱伝達率等の特定の適用用件に適応させることが可能となる。
【００２０】
前記溝２０、２２、２４、２８、３０及び３２は相互に作用して摩擦材料フェーシング１４を横断する溝流体流れを形成して、プレート及びフェーシング組立体１０の使用中における潤滑の最適化や放熱を行う。波形溝２４はフェーシング１４を横断する流体の流れを最適化し、フェーシング全体の潤滑を可能にしてプレート及びフェーシング組立体１０を十分に冷却する。これにより耐久性及び耐シャダ性のあるプレート及びフェーシング組立体が可能となる。
【００２１】
図５において、第２の実施例の組立体１０が図示されている。本実施例では、プレート１２が複数の歯３４を含んでいる。
【００２２】
図８には、第３の実施例の組立体１０が図示されている。本実施例では、フェーシング１４は６４個の弯曲部分２６から成る波形溝２４を画定している。図８に図示した様に、該弯曲部分２６は波を打つようにして波形パターンを形成している。
【００２４】
上記の詳細な説明は本発明を説明するためになされたものである。本発明の範囲を逸脱することなく数々の変更及び修正を加えられることは当業者には明白なことである。従って、上記の説明全体が例示を目的になされたものであって、何ら限定をするものではなく、本発明の範囲は冒頭の特許請求の範囲によってのみ画定されるものである。
【図面の簡単な説明】
【図１】  本発明によるプレート及びフェーシング組立体の正面図である。
【図２】  図１の線２−２に沿った断面図である。
【図３】  本発明によるフェーシングの詳細図である。
【図４】  図３の線４−４に沿った断面図である。
【図５】  本発明による第２のプレート及びフェーシング組立体の実施例である。
【図６】  本発明によるフェーシングの中心に沿った断面図である。
【図７】  図６に図示したフェーシングの詳細図である。
【図８】  本発明による第３のプレート及びフェーシング組立体の実施例である。
【図１】
0004012309.tif 000002
【図２】
0004012309.tif 000003
【図３】
0004012309.tif 000004
【図４】
0004012309.tif 000005
【図５】
0004012309.tif 000006
【図６】
0004012309.tif 000007
【図７】
0004012309.tif 000008
【図８】
0004012309.tif 000009